(57)【要約】【課題】  レンズホルダ内にゴミが進入しても、光モジュールの特性を低下させることのない信頼性の高い光モジュールを提供する。【解決手段】  配線４が設けられた基板２と、基板２に配線４と電気的に接続されるように設けられた、光学的部分８を有する光学チップ６と、光学的部分８の上方に配置されたレンズユニット１２と、レンズユニット１２を保持するレンズホルダ１６であって、凹部１８を有し、凹部１８の内側及び基板２によって区画された空間内２０に光学チップ６が配置されるように基板２に設けられたレンズホルダ１６と、空間内２０に設けられた、静電気を帯びた帯電フィルム３０と、帯電フィルム３０上に、空間内２０に露出するように設けられた粘着材３４と、を有する。【選択図】        図１
2006042230.tif 000002
【特許請求の範囲】
【請求項１】
配線が設けられた基板と、
前記基板に前記配線と電気的に接続されるように設けられた、光学的部分を有する光学チップと、
前記光学的部分の上方に配置されたレンズユニットと、
前記レンズユニットを保持するレンズホルダであって、凹部を有し、前記凹部の内側及び前記基板によって区画された空間内に前記光学チップが配置されるように前記基板上に設けられたレンズホルダと、
前記空間内に設けられた、静電気を帯びた帯電フィルムと、
前記帯電フィルム上に、前記空間内に露出するように設けられた粘着材と、
を有する光モジュール。
【請求項２】
請求項１記載の光モジュールにおいて、
前記帯電フィルムは可視光を通過させるが、赤外線領域の光を通過させないものであることを特徴とする光モジュール。
【請求項３】
請求項１記載の光モジュールにおいて、
前記粘着剤はアクリル系粘着剤からなることを特徴とする光モジュール。
【発明の詳細な説明】
【技術分野】
【０００１】
本発明は、光モジュールに関する。
【背景技術】
【０００２】
撮像装置のパッケージに組み込まれる光モジュールは、製造工程中にゴミが進入してしまうことが避けられず、そのゴミの除去のために多くの時間を費やしている。レンズホルダ内に進入したゴミは、その位置が固定されないので、光モジュールの傾き、または振動によってその位置を変える。ときには、光学チップ以外の場所にあったゴミが光学チップの光学的部分に移動する。この問題点を解決するために、レンズホルダ内部の表面に、粘着性材料を塗布する技術を開示している（例えば、特許文献１参照）。
【特許文献１】特開昭６２−２６１１５８号公報
【発明の開示】
【発明が解決しようとする課題】
【０００３】
しかし、粘着性材料に接触するゴミに対しては、固着させることができるが、粘着性材料に接触しないゴミに対しては、光学的部分への移動が懸念される。
【０００４】
本発明の目的は、レンズホルダ内にゴミが進入しても、光モジュールの特性を低下させることのない信頼性の高い光モジュールを提供することを目的とする。
【課題を解決するための手段】
【０００５】
（１）本発明に係る光モジュールは、配線が設けられた基板と、
前記基板に前記配線と電気的に接続されるように設けられた、光学的部分を有する光学チップと、
前記光学的部分の上方に配置されたレンズユニットと、
前記レンズユニットを保持するレンズホルダであって、凹部を有し、前記凹部の内側及び前記基板によって区画された空間内に前記光学チップが配置されるように前記基板上に設けられたレンズホルダと、
前記空間内に設けられた、静電気を帯びた帯電フィルムと、
前記帯電フィルム上に、前記空間内に露出するように設けられた粘着材と、
を有する。本発明によれば、レンズホルダ内に粘着材が設けられた静電気を帯びた帯電フィルムを設ける。これにより、作業途中で誤って混入したゴミや、各部品に付着していて、組み立て後、脱落したくず等を静電気の作用で効率よく粘着材に固着させることができ、光モジュールの特性を低下させることのない信頼性の高い光モジュールを提供することができる。
（２）この光モジュールは、
前記帯電フィルムは可視光を通過させるが、赤外線領域の光を通過させないものであってもよい。
（３）この光モジュールは、
前記粘着剤はアクリル系粘着剤からなるものであってもよい。
【発明を実施するための最良の形態】
【０００６】
以下に、本発明の実施の形態について図面を参照して説明する。
【０００７】
図１は、本発明を適用した実施の形態に係る光モジュールを示す断面図である。本実施の形態に係る光モジュールは、基板２を有する。基板２は、配線４が設けられている。
【０００８】
本実施の形態に係る光モジュールは、光学チップ６を有する。光学チップ６は、基板２に配線４と電気的に接続されるように設けられている。光学チップ６は、光学的部分８を有する。光学的部分８は、光が入射又は出射する部分である。また、光学的部分８は、光エネルギーと他のエネルギー（例えば電気）を変換する。すなわち、光学的部分８は、複数のエネルギー変換素子（受光素子・発光素子）を有する。本実施の形態では、光学的部分８は受光部である。すなわち、本実施の形態では、光モジュールは、イメージセンサ（例えばＣＣＤ，ＣＭＯＳセンサ）である。光学チップ６には、複数の電極１０が形成されている。電極１０は、パッド上に形成されたバンプを有するが、パッドのみであってもよい。電極１０は、光学的部分８の外側に形成されている。光学チップ６の複数辺（例えば対向する二辺又は四辺）又は一辺に沿って電極を配置してもよい。
【０００９】
本実施の形態に係る光モジュールは、レンズユニット１２を有する。レンズユニット１２は、光学チップ６の光学的部分８の上方に配置されている。レンズユニット１２は、レンズ１４を保持している。
【００１０】
本実施の形態に係る光モジュールは、レンズホルダ１６を有する。レンズホルダ１６は、レンズユニット１２を保持する。レンズホルダ１６は、凹部１８を有し、凹部１８の内側及び基板２によって区画された空間内２０に光学チップ６を配置するように基板２に設けられている。レンズユニット１２及びレンズホルダ１６には、光学的部分８の上方において、第１及び第２の開口部２２，２４が形成されている。第１及び第２の開口部２２，２４は、連通する。そして、レンズユニット１２の第１の開口部２２内にレンズ１４が取り付けられている。レンズ１４は、光学チップ６の光学的部分８から間隔をあけて保持されている。レンズユニット１２の外側とレンズホルダ１６の第２の開口部２４の内側には第１及び第２のねじ２６，２８が形成されており、これらによってレンズユニット１２及びレンズホルダ１６は結合されている。したがって、第１及び第２のねじ２６，２８によってレンズユニット１２及びレンズホルダ１６は、第１及び第２の開口部２２，２４の軸に沿った方向に移動する。これにより、レンズ１４の焦点を調整することができる。凹部１８は、開口部を有する。凹部１８の開口部は、光学チップ６の外形よりも大きく形成され、光学チップ６を収容できるようになっている。凹部１８の開口部には、その開口端部に光学チップ６を支持する基板２が設けられている。基板２は、光軸に対して垂直な面を有することが好ましい。光学チップ６は、電極１０の形成面が上方を向くように配置され、電極１０と基板２上の配線４の一部とが電気的に接続されている。それらの電気的な接続は、ワイヤを使用したワイヤボンディングを適用して達成することができる。
【００１１】
本実施の形態に係る光モジュールは、帯電フィルム３０を有する。帯電フィルム３０は、レンズホルダ１６の凹部１８の内側及び基板２によって区画された空間内２０に設けられている。帯電フィルム３０は、静電気を帯びている。帯電フィルム３０は、静電気の作用でゴミ３２を吸引する。帯電フィルム３０の材料は、静電気を帯びる膜形成材であれば任意の高分子材料、ガラス材料を使用することができるが、一般的には、ポリエチレン、ポリプロピレン、エチレン−ブテン共重合体、イオン−架橋オレフィン共重合体、エチレン−アクリル共重合体等のオレフィン系樹脂；ポリフッ化ビニル、ポリフッ化ビニリデン、フッ化ビニル／フッ化ビニリデン共重合体、四フッ化エチレン樹脂（ＰＴＦＥ）、四フッ化エチレン−パーフルオロアルコキシエチレン共重合樹脂（ＰＦＡ樹脂）、四フッ化エチレン−六フッ化プロピレン共重合樹脂（ＦＥＰ樹脂）等のフッ素樹脂；ポリ塩化ビニル、塩素化ポリオレフィン等の塩素樹脂；ポリエチレンテレフタレート、ポリエチレンナフタレート、ポリブチレンテレフタレート等の熱可塑性ポリエステル；ナイロン６、ナイロン１２、ナイロン６，６、ナイロン６，１０等のポリアミド；各種アクリル系樹脂等が単独或いは２種以上の組み合わせで使用される。これらの内でも、ＰＴＦＥ樹脂、ＰＦＡ樹脂、ＦＥＰ樹脂等のフッ素樹脂が静電気の保持性がよく、耐久性もよいことから好ましい。帯電フィルム３０は、摩擦等により静電気を帯びる。例えば、帯電フィルム３０の表面を保護する保護シート（図示せず）を剥がすことによって容易に静電気を帯びる。なお、帯電フィルム３０は、レンズホルダ１６の第２の開口部２４を塞ぐ部分がフィルタであってもよい。フィルタは、特定の光のみを透過させるもの、例えば、可視光を通過させるが赤外線領域の光を通過させないものであってもよい。
【００１２】
本実施の形態に係る光モジュールは、粘着材３４を有する。粘着材３４は、帯電フィルム３０上に、空間内２０に露出するように設けられている。粘着材３４は、帯電フィルム３０が静電気の作用で吸引したゴミ３２を固着する。粘着材３４は、例えばアクリル系粘着材を使用すれば、硬化することなく、長期に渡りゴミ等を固着させることができる。なお、粘着材３４は、粘着テープであってもよい。
【００１３】
以上述べたように本発明によれば、作業途中で誤って混入したゴミなどや、各部品に付着していて、組み立て後、脱落したくず等を静電気の作用で効率よく粘着材に固着させることができ、光モジュールの特性を低下させることのない信頼性の高い光モジュールを提供することができる。
【００１４】
本発明は、上述した実施の形態に限定されるものではなく、種々の変形が可能である。例えば、本発明は、実施の形態で説明した構成と実質的に同一の構成（例えば、機能、方法及び結果が同一の構成、あるいは目的及び結果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。さらに、本発明は、実施の形態で説明した技術的事項のいずれかを限定的に除外した内容を含む。あるいは、本発明は、上述した実施の形態から公知技術を限定的に除外した内容を含む。
【図面の簡単な説明】
【００１５】
【図１】本発明の実施の形態に係る光モジュールを示す断面図である。
【符号の説明】
【００１６】
２…基板  ４…配線  ６…光学チップ  ８…光学的部分  １０…電極  １２…レンズユニット  １４…レンズ  １６…レンズホルダ  １８…凹部  ２０…空間内  ２２…第１の開口部  ２４…第２の開口部  ２６…第１のねじ  ２８…第２のねじ  ３０…帯電フィルム  ３２…ゴミ  ３４…粘着材
【図１】
2006042230.tif 000003